(57)【要約】【課題】  飲料を二つに分けて収容することができ、二つの飲み口部のうちどちらを上にしても立てて置くことが可能なボトル型容器の提供。【解決手段】  両端部に飲み口部９，９を有し、飲料が飲み口部９，９毎に別れて収容されるボトル本体２と、飲み口部９に蓋をするキャップ本体１５を内底部に一体に有し、ボトル本体２の両端部にそれぞれ着脱自在に取り付けられる底部兼用キャップ３，３とを備え、ボトル本体２は、両底部兼用キャップ３，３のうちどちらをボトル底部としても直立できるようにした。【選択図】  図１
2005239203.tif 000002
【特許請求の範囲】
【請求項１】
両端部に飲み口部を有し、飲料が前記飲み口部毎に別れて収容されるボトル本体と、前記飲み口部に蓋をするキャップ本体を内底部に一体に有し、前記ボトル本体の両端部にそれぞれ着脱自在に取り付けられる底部兼用キャップとを備え、
前記ボトル本体は、前記両底部兼用キャップのうちどちらをボトル底部としても直立できるようにしたことを特徴としてなるボトル型容器。
【請求項２】
ボトル半体は、中心軸に対し斜めに形成された面により飲み口部毎に分割された請求項１に記載のボトル型容器。
【請求項３】
ボトル本体は、飲み口部を有する一対のボトル半体をその底部を接合手段により互いに接合させて一体化することにより形成された請求項１又は２に記載のボトル型容器。
【請求項４】
接合手段は、一方のボトル半体の底部に形成された雄ネジ部と、他方のボトル半体の底部に形成され、前記雄ネジ部と互いに螺合する雌ネジ部とからなる請求項３に記載のボトル型容器。
【請求項５】
接合手段は、一方のボトル半体の底部に形成された接合凸部と、他方のボトル半体の底部に形成され、前記凸部と互いに着脱可能に嵌合する接合凹部とを備えた請求項３に記載のボトル型容器。
【請求項６】
両ボトル半体間の接合部分を跨いでボトル本体の外周に巻き付けられた商品ラベルを備えた請求項１〜４又は５に記載のボトル型容器。
【請求項７】
ボトル本体は、両端部が開口するとともに内部が隔壁により分割されたパリソンを使用したインジェクションブロー成形により一体に形成された請求項１又は２に記載のボトル型容器。
【発明の詳細な説明】
【技術分野】
【０００１】
本発明は、主に清涼飲料や茶類等の飲料のためのボトル型容器に関する。
【背景技術】
【０００２】
飲み口部に螺合されるボトルキャップを有するペットボトルは、一度開封しても再度蓋をすることができる利便性が消費者に受け入れられ、近年、自動販売機やコンビニエンスストアにおける清涼飲料や茶類等の飲料の販売において、缶入り飲料に代わって主流となりつつあり、その中でも、５００ｍｌペットボトルが主流をなしている。
【発明の開示】
【発明が解決しようとする課題】
【０００３】
しかし、上述の如き従来の５００ｍｌペットボトルでは、一人で飲むには量が多すぎて飲みきれない、飲むうちに飽きてしまう等の問題があった。
【０００４】
一方で、２５０ｍｌペットボトル等の小さなペットボトルも注目されているが、容量の差に対して値段があまり変わらず割高感があるという問題があった。
【０００５】
そこで本発明は、上述の従来技術の問題を鑑み、飲料を二つに分けて収容することができ、二つの飲み口部のうちどちらを上にしても立てて置くことが可能なボトル型容器の提供を目的とする。
【課題を解決するための手段】
【０００６】
上述の如き従来の問題を解決し、所期の目的を達成するための請求項１に記載の発明は、両端部に飲み口部を有し、飲料が前記飲み口部毎に別れて収容されるボトル本体と、前記飲み口部に蓋をするキャップ本体を内底部に一体に有し、前記ボトル本体の両端部にそれぞれ着脱自在に取り付けられる底部兼用キャップとを備え、前記ボトル本体は、前記両底部兼用キャップのうちどちらをボトル底部としても直立できるようにしたボトル型容器であることを特徴とする。
【０００７】
請求項２に記載の発明は、請求項１の構成に加え、ボトル半体は、中心軸に対し斜めに形成された面により飲み口部毎に分割されたことを特徴とする。
【０００８】
請求項３に記載の発明は、請求項１又は２の構成に加え、ボトル本体は、飲み口部を有する一対のボトル半体をその底部を接合手段により互いに接合させて一体化することにより形成されたことを特徴とする。
【０００９】
請求項４に記載の発明は、請求項３の構成に加え、接合手段は、一方のボトル半体の底部に形成された雄ネジ部と、他方のボトル半体の底部に形成され、前記雄ネジ部と互いに螺合する雌ネジ部とからなることを特徴とする。
【００１０】
請求項５に記載の発明は、請求項３の構成に加え、接合手段は、一方のボトル半体の底部に形成された接合凸部と、他方のボトル半体の底部に形成され、前記凸部と互いに着脱可能に嵌合する接合凹部とを備えたことを特徴とする。
【００１１】
請求項６に記載の発明は、請求項１〜４又は５の構成に加え、分割部分を跨いでボトル本体の外周に巻き付けられた商品ラベルを備えたことを特徴とする。
【００１２】
請求項７に記載の発明は、請求項１又は２の構成に加え、ボトル本体は、両端部が開口するとともに内部が隔壁により分割されたパリソンを使用したインジェクションブロー成形により一体に形成されたことを特徴とする。
【発明の効果】
【００１３】
本発明に係るボトル型容器は、両端部に飲み口部を有し、飲料が前記飲み口部毎に別れて収容されるボトル本体を備えたことによって、１本で２種類の飲料を楽しむことができたり、適度の量の飲料を２回に分けて飲むことができたりする。
【００１４】
また、前記飲み口部に蓋をするキャップ本体を内底部に一体に有し、前記ボトル本体の両端部にそれぞれ着脱自在に取り付けられる底部兼用キャップとを備え、前記ボトル本体は、前記両底部兼用キャップのうちどちらをボトル底部としても直立できるようにしたことによって、どちらの飲み口部を上にしても立てて置くことができる。
【００１５】
ボトル本体は、飲み口部を有する一対のボトル半体をその底部を接合手段により互いに接合させて一体化することにより形成されたことによって、飲料を分けて飲むことができ、友達同士で分け合ったり、２回に分けて飲んだりすることができる。
【００１６】
接合手段は、一方のボトル半体の底部に形成された雄ネジ部と、他方のボトル半体の底部に形成され、前記雄ネジ部と互いに螺合する雌ネジ部とからなること、一方のボトル半体の底部に形成された接合凸部と、他方のボトル半体の底部に形成され、前記凸部と互いに着脱可能に嵌合する接合凹部とを備えたことによって、両ボトル半体を好適に接合することができるとともに、好適に分割することができる。
【００１７】
両ボトル半体間の接合部分を跨いでボトル本体の外周に巻き付けられた商品ラベルを備えたことによって、両ボトル半体の繋ぎ目を覆うことで見栄えを良くすることができる。また、接合手段として使用し、両ボトル半体を接合することができ、また、接合手段と併用することによって、ボトル本体を補強することができる。
【００１８】
ボトル本体は、両端部が開口するとともに内部が隔壁により分割されたパリソンを使用したインジェクションブロー成形により一体に形成されることによって、ボトル半体を安価に製造することができ、ボトル型容器全体のコストを下げることができる。
【発明を実施するための最良の形態】
【００１９】
次に、本発明に係るボルト容器の実施例に関し図１〜図６ついて説明する。
【００２０】
ボトル型容器１は、両端部に飲み口部を有するボトル本体２と、ボトル本体２の両端部に着脱自在に取り付けられる底部兼用キャップ３，３とを備え、全体の高さが自動販売機で販売可能な高さ、例えば、３５０ｍｌ缶や５００ｍｌペットボトルと略同じ高さに形成されている。
【００２１】
ボトル本体２は、飲料が飲み口部毎に別れて収容されるようになっており、透明なＰＥＴ樹脂からなる二つのボトル半体４ａ，４ｂをその底部を互いに突き合わせて接合して一体化させることにより形成され、ボトル半体４ａ，４ｂの底面により隔てられた二つの収容部５ａ，５ｂを有する。
【００２２】
ボトル半体４ａ，４ｂは、図４、図５に示すように、ブロー成形により底部６、胴部７、肩部８及び飲み口部９とを一体に備えたボトル形状に形成されている。
【００２３】
底部６は、接合手段を介して両ボトル半体の底部６，６同士が接合されるようになっている。
【００２４】
接合手段は、一方のボトル半体４ａの底面より突出した雄ネジ部６ａと、他方のボトル半体４ｂの底部に凹設された雌ネジ部６ｂとをもって構成され、一方のボトル半体４ａの雄ネジ部６ａを他方のボトル半体４ｂの雌ネジ部６ｂにねじ込むことによって、両ボトル半体４ａ，４ｂを接合し、一体化させるようになっている。また、ネジを緩めることによって、ボトル半体４ａ，４ｂ毎に分割することもできるようになっている。
【００２５】
胴部７は、底版６の周縁より一体に立ち上げられた筒状に形成され、その上縁、即ち底版６とは反対側の縁部に肩部８が連続して形成されている。
【００２６】
肩部８は、胴部側が広いテーパ筒状に形成され、その飲み口部側には、平板状の支持面１０が一体に形成され、支持面１０の中央部に飲み口部９が収容部５に連通して一体に形成されている。
【００２７】
また、飲み口部９の外周には、底部兼用キャップ３が取り付けられる雄ネジ９ａが一体に形成されている。
【００２８】
また、ボトル本体２の胴部外周、即ち両ボトル半体４ａ，４ｂの接合部を跨いで、両ボトル半体４ａ，４ｂの胴部７，７を覆うように販売商品を表示する商品ラベル１２が巻きつけられている。
【００２９】
このように商品ラベル１２を巻き付けることによって、ボトル本体２胴部を補強するとともに、両ボトル半体４ａ，４ｂの繋ぎ目を覆い見栄えが良くなる。
【００３０】
底部兼用キャップ３は、図６に示すように、平板状の底版１３と、底版１３の周縁より一体に立ち上げた周壁１４と、底版１３内面、即ち底部兼用キャップ３の内底面に一体に突設され、飲み口部９に蓋することができるキャップ本体１５とを一体に備えている。
【００３１】
また、底部兼用キャップ３の直径は、ボトル半体肩部の支持面１０の直径と略同じに形成され、周壁１４の上縁部で支持面を支持するようになっている。
【００３２】
キャップ本体１５は、一方の端部開口が底版１３に閉鎖された筒状に形成されている。
【００３３】
また、キャップ本体１５の内面にはキャップ本体９の外周面に形成された雄ネジ９ａと螺合する雌ネジ１５ａが形成され、飲み口部９に対し着脱自在に取り付けられるようになっており、底部兼用キャップ３をボトル本体２の両端部に着脱自在に取り付けることができるようになっている。
【００３４】
このように構成されたボトル型容器１は、両ボトル半体４ａ，４ｂにそれぞれ飲料を収容できるとともに、どちらのボトル半体４ａ（４ｂ）を上にしても、他方のボトル半体４ｂ（４ａ）に取り付けられた底部兼用キャップ３がボトル本体２の底部を支持するので直立できるようになっている。即ち、両底部兼用キャップ３，３のうちどちらをボトル底部としても直立できるようになっている。
【００３５】
尚、上述の実施例では、接合手段を両ボトル半体４ａ，４ｂの底部にそれぞれ形成された雄ネジ部６ａ及び雌ネジ部６ｂにより構成した例について説明したが、図７に示すように、接合手段は、一方のボトル半体４ａの底部６に形成された接合凸部２０と、他方のボトル半体４ｂの底部に形成され、接合凸部２０と互いに嵌り合う接合凹部２１とをもって構成してもよく、その場合、接合凸部２０及び接合凹部２１からなる接合手段と併用して、肩部８までかかる商品ラベル１２を使用し、両ボトル半体４ａ，４ｂを接合させるようにすることが好ましい。
【００３６】
また、接合手段である接着剤により両ボトル半体を接合するようにしてもよい。
【００３７】
上述の実施例では、一対のボトル半体４ａ，４ｂを底部を互いにに接合させることにより一体化させてボトル本体２を形成した例について説明したが、図８に示すように、ボトル本体３０は、両端部に飲み口部９，９を有し、隔壁３１によって飲料を飲み口部毎９，９に分けて内部に収容可能なようにインジェクションブロー成形によって一体成形してもよい。尚、上述の実施例と同一の部分には、同一符号を付して説明を省略する。
【００３８】
このボトル本体３０は、図９（ａ）に示すように、予め射出成形によって両端部が開口するとともに内部が隔壁３１により分割されたパリソン（粗形状材）３２を形成しておき、そのパリソン３２を金型３３に移し（図９（ｂ））、延伸と同時にエアを吹き込むことにより両端部に飲み口部９，９を有し、飲料が飲み口部毎に別れて収容されるボトル形状に成形する（図９（ｃ））。
【００３９】
尚、上述の実施例では，ボトル本体２を中心軸と直交する面で分割した形状に形成した例について説明したが、図１０に示すように、ボトル本体２を中心軸に対し斜めに形成された面で飲み口部毎に分割された形状であってもよい。
【００４０】
尚、上述の各実施例において同一の部分には同一符号を付して説明を省略する。
【００４１】
また、上述の実施例では、両収容部の容積比率が１対１である場合について説明したが、両収容部の容積比率は自由に組み合わせることができる。例えば、２５０ｍｌ＋２５０ｍｌ（合計５００ｍｌ）、３５０ｍｌ＋１９０ｍｌ（合計５４０ｍｌ）〜１９０ｍｌ＋１９０ｍｌ（合計３８０ｍｌ）等のような様々な組合せが考えられる。
【００４２】
上述の実施例では、ボトル半体の肩部に支持面を設けた例について説明したが、肩部全体をテーパ筒状に形成し、テーパ面を底部兼用キャップの上縁部に支持させるようにしてもよい。
【図面の簡単な説明】
【００４３】
【図１】本発明に係るボトル型容器の実施の一例を示す正面図である。
【図２】同上のボトル型容器を分解した状態を示す正面図である。
【図３】同上のボトル型容器の縦断面図である。
【図４】（ａ）は同上の一方のボトル半体を示す平面図、（ｂ）は同縦断面図である。
【図５】（ａ）は同上の他方のボトル半体を示す平面図、（ｂ）は同縦断面図である。
【図６】（ａ）は同上の底部兼用キャップを示す平面図、（ｂ）は同縦断面図である。
【図７】本発明に係るボトル型容器の他の一例を示す縦断面図である。
【図８】本発明に係るボトル型容器の更に他の一例を示す縦断面図である。
【図９】図８中のボトル本体の製造工程の概略を示す説明用断面図である。
【図１０】本発明に係るボトル型容器の更に他の一例を示す縦断面図である。
【符号の説明】
【００４４】
１    ボトル型容器
２    ボトル本体
３    底部兼用キャップ
４ａ，４ｂ  ボトル半体
５    収容部
６    底版
６ａ  雄ネジ部
６ｂ  雌ネジ部
７    胴部
８    肩部
９    飲み口部
１０    支持面
１２    商品ラベル
１３    底版
１４    周壁
１５    キャップ本体
２０    接合凸部
２１    接合凹部
３０    ボトル本体
３１    隔壁
３２    パリソン
３３    金型
【図１】
2005239203.tif 000003
【図２】
2005239203.tif 000004
【図３】
2005239203.tif 000005
【図４】
2005239203.tif 000006
【図５】
2005239203.tif 000007
【図６】
2005239203.tif 000008
【図７】
2005239203.tif 000009
【図８】
2005239203.tif 000010
【図９】
2005239203.tif 000011
【図１０】
2005239203.tif 000012